(57)【要約】      （修正有）【課題】安価にかつ施工場所を選ばず実施でき、液化ガス漏洩が生じることもない、配管凍結工法を提供する。【解決手段】断熱箱1に配管形状に合わせて配管貫通部2Aを形成する加工を施し、かつ、断熱箱1を上部開放型とし、配管貫通部2Aを配管10が通るように配管10に断熱箱1を装着し、前記加工を施した部分2を液状パッキン3でシールした後、断熱箱内に液化ガス4を貯留して同箱内の配管10を浸漬させる。【選択図】図１
2011153673.tif 000002
【特許請求の範囲】
【請求項１】
液化ガスを用いて配管の管内流体を凍結させる配管凍結工法において、断熱箱に前記配管の配管形状に合わせて配管貫通部を形成する加工を施し、かつ、前記断熱箱を上部開放型とし、前記形成した配管貫通部を前記配管が通るように前記配管に前記断熱箱を装着し、前記加工を施した部分を液状パッキンでシールした後、前記断熱箱内に液化ガスを貯留して同箱内の配管を浸漬させることを特徴とする配管凍結工法。
【請求項２】
前記断熱箱が発泡スチロール箱であることを特徴とする請求項１に記載の配管凍結工法。
【発明の詳細な説明】
【技術分野】
【０００１】
本発明は、配管凍結工法に関し、詳しくは、配管の補修すべき個所の近傍に配管内の流体を凍結させる凍結手段を設け、流体を凍結させた後補修すべき個所を補修する場合、前記凍結手段を設けるにあたり有利に用いられる配管凍結工法に関する。
【背景技術】
【０００２】
従来の配管凍結工法では、配管凍結部位にジャケットを設置し、液体窒素を循環させる方法（例えば特許文献１）が行われている。また、配管を囲う２分割の箱にドライアイスを投入する方法（特許文献２）もある。
【先行技術文献】
【特許文献】
【０００３】
【特許文献１】特開昭５１−１０２２２０号公報
【特許文献２】特開昭５３−５０５２８号公報
【発明の概要】
【発明が解決しようとする課題】
【０００４】
上述の背景技術において、配管をジャケットで完全に覆い液化ガスを流す方法は、各配管口径に応じた専用ジャケットを製作する必要があり高価であることや、また基本的に直管部を対象にしているため、施工場所も限定されるという問題点（課題）があった。また、２分割の箱を使用する方法は、固体であるドライアイスを使用する場合は問題ないが、液化ガスを使用する場合はその漏洩が生じるという問題点（課題）があった。
【課題を解決するための手段】
【０００５】
本発明は、前記課題を解決し、安価にかつ施工場所を選ばず実施でき、液化ガス漏洩が生じることもない、配管凍結工法を提供するためになされたものであり、その要旨構成は以下のとおりである。
(1) 液化ガスを用いて配管の管内流体を凍結させる配管凍結工法において、断熱箱に前記配管の配管形状に合わせて配管貫通部を形成する加工を施し、かつ、前記断熱箱を上部開放型とし、前記形成した配管貫通部を前記配管が通るように前記配管に前記断熱箱を装着し、前記加工を施した部分を液状パッキンでシールした後、前記断熱箱内に液化ガスを貯留して同箱内の配管を浸漬させることを特徴とする配管凍結工法。
(2) 前記断熱箱が発泡スチロール箱であることを特徴とする前項(1)に記載の配管凍結工法。
【発明の効果】
【０００６】
本発明によれば、安価にかつ任意の場所で、液化ガスの漏洩なく施工ができるという効果を奏する。
【図面の簡単な説明】
【０００７】
【図１】本発明実施形態の１例（水平配管を対象とした場合）を示す概略図
【図２】断熱箱の加工要領を示す概略図
【図３】断熱箱の配管への装着要領を示す概略図
【図４】断熱箱の液化ガスを貯留した状態を示す概略図
【図５】本発明実施形態のもう１つの例を示す概略図
【図６】水平配管(a)、垂直配管(b)、エルボ部(c)のそれぞれへの本発明適用例を示す一部切欠鳥瞰図
【発明を実施するための形態】
【０００８】
図１、図２、図３、図４は、水平配管を対象とした場合の本発明実施形態の１例を示す概略図である。図１は配管に断熱箱を装着した後の概略図で、(a)は平面図、(b)は側面図である。図２は断熱箱の加工要領図、図３は断熱箱の配管への装着要領図であり、これら図は図１(a)のB-B矢視図を示す。図４は、断熱箱を配管に装着し、断熱箱に液化ガスを貯留した状態を示す断面図であり、図１(a)のA-A矢視図である。図１〜図４において、1は断熱箱、2は加工を施した部分、3は液状パッキン、4は液化ガス、10は配管、11は管内流体である。図示のように本発明では、凍結対象とする配管10の管内流体11を凍結させるにあたり、断熱箱1を使用する。断熱箱1には配管形状に合わせて配管貫通部2Aを形成する加工を施し（図２(a),(b),(c)）、かつ、断熱箱1を上部開放型とし、前記形成した配管貫通部2Aを配管10が通るように、断熱箱1を配管10に装着し、そして、前記加工を施した部分2を液状パッキン3でシールする（図３）。その後、断熱箱1内に液化ガス4を貯留して、断熱箱1内の配管10を完全に浸漬させる（図４）。
【０００９】
このように、本発明では、配管の管内流体を凍結させるにあたり上部開放型の断熱箱を現地配管に合わせて加工し、液化ガスの液面までの高さを超える高さにした断熱箱の前記加工を施した部分を液状パッキンでシールするようにしたので、特殊なジャケットや循環装置等をあらかじめ準備する必要もなく、場所を選ばず施工できるようになる。
断熱箱は、廉価性、加工容易性の点で発泡スチロール箱が好ましい。発泡スチロール箱であれば、施工場所を選ばず現地での配管形状に合わせた加工が至極容易である。なお、発泡スチロール箱のほか、ポリウレタン等の他の熱伝導率の低い断熱性を有する素材の箱なども断熱箱として使用できる。
【００１０】
また、断熱箱は長さが十分であれば配管が浸漬する範囲で断面積が小さいほど、消費する液化ガス量は少ないため、例えば図５に示すように、配管10に応じた適当な大きさの断熱箱1がない場合（図５(a)）、断熱箱1内に例えば発泡スチロール板で仕切り5を入れ、必要最小限の内容積として液化ガス4の消費量を節減する（図５(b)）ことも容易にできる。
また、現地配管に合わせ容易に断熱箱の形状を変えることができるため、直管部のみならず、エルボ部、分岐管部、管寄せ部等にも適用できる。例えば図６には、水平配管(a)、垂直配管(b)、エルボ部(c)のそれぞれへの本発明適用例を、一部切欠鳥瞰図として示した。なお、図６(b)、(c)では加工を施した部分2と液状パッキン3の図示を省略した。
【００１１】
液化ガスは、廉価性の点で液体窒素が好適である。断熱箱は上部開放型とし、内圧がかからない構造としたので、液化ガスの漏洩防止には複雑なシールを用いずとも、液状パッキンでも十分に液化ガスを貯蔵することができる。液状パッキンとしては例えばシリコンゴム等が使用できる。
【実施例】
【００１２】
図１、図５(a)に示した、水平配管への適用形態で、本発明を実施した実施例について、図２、図３、図４を参照して説明する。
配管長さ方向を箱長さ方向とし箱長さ５D（Dは配管外径）以上とした上部開放型の発泡スチロール箱（断熱箱1として使用）の箱長さ方向に直交する側面7の相対する二面7a,7bに、図２(a)に示すように側面7の上部開放端40側に上部が繋がるＵ字状の切込み20aを入れた。Ｕ字の下部の円弧の径は配管10の外径と略同一とした。切込み20aで切り離されたＵ字状の発泡スチロール材30を側面7から取り外し、側面7にはＵ字状の配管導入部50を形成した。取り外したＵ字状の発泡スチロール材30にさらに切込み20bを入れ、Ｕ字状の発泡スチロール材30の下部の配管10の断面に相当する部分を取り外し、下部に配管10の外径と略同一径の円弧状凹部51aを形成させ、これを埋め戻し片51とした。以上の加工が、配管貫通部を形成する加工であり、埋め戻し片51を側面7の配管導入部50に挿入し、埋め戻し片51の円弧状凹部51aと配管導入部50の下部円弧状部50aとで一つの円を形成させることにより、この円が配管貫通部2Aとなる。
【００１３】
次に、図３(a)に示すように、配管導入部50の下部円弧状部50aにシリコンゴム（シール用の液状パッキン3として使用）を塗布後、図３(b)に示すように、断熱箱1を配管10の下方より装着した。ここで、配管導入部50の下部円弧状部50aに配管10の下側部分を当接させた。
そして、図３(c)に示すように、埋め戻し片51を、その円弧状凹部51aを配管10の上部側に当接させて、側面7の配管導入部50に挿入し、配管導入部50の配管10で塞がれた以外の溝空間部分を埋め戻し片51で埋め戻した。
【００１４】
なお、埋め戻しの前に、埋め戻し片51の配管当接部や側面7との当接部にも、シリコンゴムを塗布した。以上で、切込み等の加工を施した部分が液状パッキン（シリコンゴム）3でシールされた。
凍結に際しては、図４に示すように配管10の断熱箱1内側部分の全体が浸漬する深さまで液化ガス4（ここでは液体窒素を使用）を貯留した。なお、液化ガス4は、蒸発に伴い減少する量のみを補充する。凍結所要時間は配管径や管内流体11の種類により異なるため、事前に検証が必要である。本実施例では、管内流体11は脂肪酸エステル作動油であり、この場合の凍結所要時間は、配管径が50Aでは20分、80Aでは50分であった。
【符号の説明】
【００１５】
1  断熱箱（発泡スチロール箱）
2  加工を施した部分
2A  配管貫通部
3  液状パッキン
4  液化ガス
5  仕切り
10  配管
11  管内流体
【図１】
2011153673.tif 000003
【図２】
2011153673.tif 000004
【図３】
2011153673.tif 000005
【図４】
2011153673.tif 000006
【図５】
2011153673.tif 000007
【図６】
2011153673.tif 000008